(57)【要約】【課題】映像表示装置において、製造コストを低くし、且つ、ユーザが、表示パネルの正面を正確にユーザ自身に向けることができるようにする。【解決手段】映像表示装置１は、表示パネル２が正面に配された筐体３と、筐体３を水平面内で回動可能に支持するスタンド５を有している。筐体３の両側部近傍には、位置確認部１０ａ，１０ｂが設けられている。位置確認部１０ａ，１０ｂは、表示パネル２の中央部について左右対称に、所定の角度だけ表示パネル２の中央部側に傾くように、所定の方向に光を出射するように配された四対の発光部１１ａ，…，１４ｂで構成されている。ユーザは、筐体３を回動させながら位置確認部１０ａ，１０ｂから出射される光を確認することにより、表示パネル２をユーザの正面に向けることができる。【選択図】図３
2008275983.tif 000002
【特許請求の範囲】
【請求項１】
筐体と、
前記筐体の正面中央に配され、画像を表示する表示パネルと、
前記筐体を略水平面内で回動可能に支持するスタンドと、
前記筐体を前記スタンドに対し回動させる回動機構と、
前記回動機構を駆動するための操作ボタンが設けられたリモートコントローラとを備えた映像表示装置において、
前記筐体正面の両側部近傍部位に、それぞれ装置前方の所定位置から視認可能に配置された、左右少なくとも一対の視認部をさらに備え、
前記少なくとも一対の視認部は、互いに対応する左右一対が、それぞれ、前記表示パネルの中央部について左右対称に配置されており、
ユーザが、前記操作ボタンを操作しつつ前記回動機構を駆動して前記筐体を回動させ、前記視認部のいずれか一対を視認可能な位置に停止させることにより、前記表示パネルをユーザの正面に向けさせることを可能にすることを特徴とする映像表示装置。
【請求項２】
前記視認部は、それぞれ装置前方の所定方向に向け光を出射可能であり、互いに対応する左右一対の光の出射方向が、それぞれ、前記表示パネルの中央部について左右対称に、共に前記表示パネルの正面に対し所定の角度だけ前記表示パネルの中央部側に傾くように配置されていることを特徴とする請求項１記載の映像表示装置。
【請求項３】
前記視認部は、複数対設けられており、
前記複数対の視認部は、それぞれ、他の左右で対となる視認部から出射される光の色とは異なる色の光を発光し、且つ、光の出射方向が、他の左右で対となる視認部からの光の出射方向とは異なるように配置されていることを特徴とする請求項２記載の映像表示装置。
【請求項４】
前記視認部からの光の出射方向は、前記ユーザと前記表示パネルとの距離が予め設定されている所定の基準距離のいずれかであるときに、そのユーザが前記視認部から出射される光を最も鮮明に確認できるように設定されていることを特徴とする請求項２又は請求項３に記載の映像表示装置。
【請求項５】
前記操作ボタンの操作に連動し、前記視認部から光が出射されるように構成されていることを特徴とする請求項２乃至請求項４のいずれか一項に記載の映像表示装置。
【発明の詳細な説明】
【技術分野】
【０００１】
本発明は、表示パネルの向きを変更可能な映像表示装置に関する。
【背景技術】
【０００２】
従来より、表示パネルが配置された筐体を回転可能にスタンドで支持し、表示パネルの向きをユーザに対して変更可能に構成された映像表示装置がある。このような映像表示装置においては、ユーザが、例えばリモートコントローラに設けられた操作ボタンを操作することにより、筐体をスタンドに対して回動させ、表示パネルをユーザ自身に向けることができる。ユーザは、映像表示装置の回動対応範囲内に位置していれば、表示パネルの正面を正確にユーザ自身に向けることにより、ユーザ自身の位置に関わらず、適正に画像を見ることができる。
【０００３】
このような映像表示装置としては、例えば特許文献１乃至特許文献３に示されているように、リモートコントローラから送信される信号の向きを検出し、信号が送信された向きに画面を向けることができるように構成されている映像表示装置が示されている。このような装置では、画面を自動的にユーザに向けることができて便利である。しかしながら、リモートコントローラから送信される信号の向きを判断するために、複雑な構成のセンサや高価なセンサを用いたり、複雑な演算を行うため、映像表示装置の製造コストが高くなるという問題がある。
【特許文献１】特開平４‐２３７２７７号公報
【特許文献２】特開平６‐３３４９４４号公報
【特許文献３】特開平５‐２６８５４８号公報
【発明の開示】
【発明が解決しようとする課題】
【０００４】
本発明は、上記問題点を鑑みてなされたものであり、製造コストが低く、且つ、ユーザが、表示パネルを正確にユーザの正面に向けることができる映像表示装置を提供することを目的とする。
【課題を解決するための手段】
【０００５】
上記目的を達成するため、請求項１の発明は、筐体と、前記筐体の正面中央に配され、画像を表示する表示パネルと、前記筐体を略水平面内で回動可能に支持するスタンドと、前記筐体を前記スタンドに対し回動させる回動機構と、前記回動機構を駆動するための操作ボタンが設けられたリモートコントローラとを備えた映像表示装置において、前記筐体正面の両側部近傍部位に、それぞれ装置前方の所定位置から視認可能に配置された、左右少なくとも一対の視認部をさらに備え、前記少なくとも一対の視認部は、互いに対応する左右一対が、それぞれ、前記表示パネルの中央部について左右対称に配置されており、ユーザが、前記操作ボタンを操作しつつ前記回動機構を駆動して前記筐体を回動させ、前記視認部のいずれか一対を視認可能な位置に停止させることにより、前記表示パネルをユーザの正面に向けさせることを可能にするものである。
【０００６】
請求項２の発明は、請求項１の発明において、前記視認部は、それぞれ装置前方の所定方向に向け光を出射可能であり、互いに対応する左右一対の光の出射方向が、それぞれ、前記表示パネルの中央部について左右対称に、共に前記表示パネルの正面に対し所定の角度だけ前記表示パネルの中央部側に傾くように配置されているものである。
【０００７】
請求項３の発明は、請求項２の発明において、前記視認部は、複数対設けられており、前記複数対の視認部は、それぞれ、他の左右で対となる視認部から出射される光の色とは異なる色の光を発光し、且つ、光の出射方向が、他の左右で対となる視認部からの光の出射方向とは異なるように配置されているものである。
【０００８】
請求項４の発明は、請求項３の発明において、前記視認部は、それぞれ、他の左右で対となる視認部から出射される光の色とは異なる色の光を発光するように構成されているものである。
【０００９】
請求項４の発明は、請求項２又は請求項３の発明において、前記視認部からの光の出射方向は、前記ユーザと前記表示パネルとの距離が予め設定されている所定の基準距離のいずれかであるときに、そのユーザが前記視認部から出射される光を最も鮮明に確認できるように設定されているものである。
【００１０】
請求項５の発明は、請求項２乃至請求項４のいずれか一項の発明において、前記操作ボタンの操作に連動し、前記視認部から光が出射されるように構成されているものである。
【発明の効果】
【００１１】
請求項１の発明によれば、少なくとも一対の視認部は、表示パネルの中央部について左右対称に配置されているので、ユーザは、操作ボタンを操作しながら、回動機構を駆動して筐体を回動させつつ、一対の視認部を視認する位置に停止させることにより、表示パネルを自己の正面に位置させることができる。従って、複雑な構成のセンサ等を用いることなく、ユーザが、表示パネルの正面を正確且つ容易にユーザに向けることができるようになる。
【００１２】
請求項２の発明によれば、少なくとも一対の視認部は、装置前方の所定方向に向け光を出射可能であるので、暗い環境下においても、ユーザが、表示パネルがユーザの正面に位置していることを確認することができ、表示パネルの正面を正確且つ容易にユーザに向けることができるようになる。
【００１３】
請求項３の発明によれば、複数対の視認部は、それぞれ、他の左右で対となる視認部からの光の出射方向とは異なるように配置されているので、ユーザは、ユーザ自身の表示パネルからの距離に応じて、適した一対の視認部から出射される光を確認して、表示パネルがユーザの正面に位置していることを確認することができる。従って、ユーザは、より広い範囲で、表示パネルの正面を正確且つ容易にユーザに向けることができるようになる。また、視認部は、それぞれ、他の左右で対となる視認部から出射される光の色とは異なる色の光を発光するように構成されているので、ユーザは互いに対となる視認部同士を容易に確認することができ、より容易に表示パネルをユーザの正面に向けることができる。
【００１４】
請求項４の発明によれば、視認部からの光の出射方向は、ユーザと表示パネルとの距離が予め設定されている所定の基準距離のいずれかであるときに、そのユーザが視認部から出射される光を最も鮮明に確認できるように設定されているので、ユーザは、視認部を用いて表示パネルがユーザの正面に向いていることを確認することにより、表示パネルからどれだけ離れているかを客観的に把握することが可能になる。
【００１５】
請求項５の発明によれば、操作ボタンの操作に連動し、視認部から光が出射されるので、例えば表示パネルがユーザの正面に位置していることを確認するために必要なときに視認部から光を出射させ、電力の消費を低減したり、また、通常時には視認部からの光を出射せず、ユーザが表示パネルの表示に集中できるようにしたりすることができる。
【発明を実施するための最良の形態】
【００１６】
以下、本発明の一実施形態について図面を参照しつつ説明する。図１は、本実施形態に係る映像表示装置を示す。映像表示装置１は、例えば、いわゆるテレビジョン放送受像機であり、映像を表示する、例えば液晶パネルやプラズマディスプレイパネル等の表示パネル２と、表示パネル２が正面に配置された筐体３と、筐体３の下部左右に設けられ音を発生させるスピーカ４と、筐体３を支持するスタンド５とを備えている。筐体３の表示パネル２の下方には、ユーザにより操作されるリモートコントローラ９からの信号を受信するセンサ等で構成される受信部６ａや、映像表示装置１を操作するための操作スイッチ６ｂ等が設けられている。筐体３は、スタンド５に対し略水平面内で回動可能に取り付けられている。筐体３の内部には、モータや歯車等で構成され、筐体３をスタンド５に対し回動させる回動機構７が配置されている。
【００１７】
リモートコントローラ９には、映像表示装置１の動作を制御するための操作ボタン９ａが設けられている。ユーザは、この操作ボタン９ａを操作することにより、表示パネル２に表示させるテレビジョン放送のチャンネルの選択やスピーカ４から発生させる音の音量調節等を行うことができるように構成されている。本実施形態において、操作ボタン９ａには、ターンボタン９ｂが設けられている。ユーザがターンボタン９ｂを操作すると、回動機構７が駆動され、図の矢印で示すように、筐体３が略水平面内で回動する。これにより、ユーザは、映像表示装置１から離れた位置から、例えば表示パネル２がユーザ自身の正面を向くように筐体３を回動させ、表示パネル２を見やすい状態にすることができる。
【００１８】
ここで、本実施形態においては、筐体３の正面上部の左右両側部近傍部位に、それぞれ、位置確認部１０ａ，１０ｂが設けられている。図２は、位置確認部１０ａが設けられている部位を示す。また、図３は、位置確認部１０ａ，１０ｂと表示パネル２との位置関係を示す。この映像表示装置１においては、位置確認部１０ａ，１０ｂは、左右四対の発光部（視認部）１１ａ，１１ｂ，１２ａ，１２ｂ，１３ａ，１３ｂ，１４ａ，１４ｂで構成されている。位置確認部１０ａを構成する発光部１１ａ，１２ａ，１３ａ，１４ａは、それぞれ、図２に示すように、筐体３の正面から背面側に略水平方向に伸びた円筒の背面側の内底面に発光体２１，２２，２３，２４が配置されて構成されており、筐体３の正面から、円筒の軸方向となる所定方向に向け光を出射する。位置確認部１０ｂを構成する発光部１１ｂ，１２ｂ，１３ｂ，１４ｂも、発光体２１，２２，２３，２４をそれぞれ有し、位置確認部１０ｂと同様に構成されている。本実施形態において、発光体２１，２２，２３，２４として、例えば、発光ダイオードが用いられている。発光体２１，２２，２３，２４は、それぞれ、例えば、青、緑、橙、赤の互いに異なる色の光を発光するように構成されている。すなわち、位置確認部１０ａ，１０ｂは、左右で対となる発光部１１ａ，…，１４ｂ同士で、他の対とは異なる同色の光を出射するように構成されている。また、発光部１１ａ，…，１４ｂは、ユーザが表示パネル２の表示を見ている通常時においては発光せず、ユーザによるターンボタン９ｂの操作に連動して光を出射するように構成されている。例えば、発光部１１ａ，…，１４ｂは、ターンボタン９ｂが操作されて回動機構７が駆動されている間と、回動機構７の駆動が停止されてから所定時間（例えば、３秒間）だけ光を出射する。このような発光部１１ａ，…，１４ｂの光の出射時間の制御は、映像表示装置１の各部を制御する制御部（図示せず）等により行われる。
【００１９】
左右で対応する一対の発光部１１ａ，１１ｂは、それぞれから出射される光の出射方向が、表示パネル２の中央部について左右対称に、共に表示パネル２の正面に対し所定の角度だけ表示パネル２の中央部側に傾くように配置されている。左右で一対となる発光部１２ａ，１２ｂ、発光部１３ａ，１３ｂ及び発光部１４ａ，１４ｂも、それぞれ、発光部１１ａ，１１ｂと同様に、それぞれ互いに左右対称に配置されている。発光部１２ａ，１２ｂから表示パネル２の前方に向けて出射される光の出射方向は、発光部１１ａ，１１ｂから出射される光の出射方向よりも、表示パネル２の中央部側に傾いている。また、発光部１３ａ，１３ｂから出射される光の出射方向は、発光部１２ａ，１２ｂから出射される光の出射方向よりも、表示パネル２の中央部側に傾いている。発光部１４ａ，１４ｂから出射される光の出射方向は、発光部１３ａ，１３ｂから出射される光の出射方向よりも、表示パネル２の中央部側に傾いている。発光部１１ａ，１１ｂは、それぞれ、光の出射方向が、表示パネル２の中央部から前方に長さＬ１（例えば、５ｍ）だけ離れた位置にあると仮定するユーザ（図にＵ１で示す）に向くように筐体３に取り付けられている。また、発光部１２ａ，１２ｂは、それぞれ、光の出射方向が、表示パネル２の中央部から前方に長さＬ２（例えば、４ｍ）だけ離れた位置にあると仮定するユーザ（図にＵ２で示す）に向くように、筐体３に取り付けられている。発光部１３ａ，１３ｂは、それぞれ、光の出射方向が、表示パネル２の中央部から前方に長さＬ３（例えば、３ｍ）だけ離れた位置にあると仮定するユーザ（図にＵ３で示す）に向くように筐体３に取り付けられている。発光部１４ａ，１４ｂは、それぞれ、光の出射方向が、表示パネル２の中央部から前方に長さＬ４（例えば、２ｍ）だけ離れた位置にあると仮定するユーザ（図にＵ４で示す）に向くように筐体３に取り付けられている。すなわち、本実施形態において、各発光部１１ａ，…，１４ｂは、表示パネル２の正面に対し、ユーザと表示パネル２との距離が、予め設定された、図に長さＬ１，Ｌ２，Ｌ３，Ｌ４で示す所定の基準距離のいずれかであるときに、当該ユーザがいずれかの左右一対の発光部１１ａ，…，１４ｂから出射される光を最も鮮明に確認できるように配置されている。なお、各発光部１１ａ，…，１４ｂは、図に示すように、互いに略水平に並ぶように配置されていなくてもよく、例えば、互いに上下方向に並ぶように配置されていてもよい。
【００２０】
この映像表示装置１では、ユーザは、筐体３を回動させるとき、位置確認部１０ａ，１０ｂから出射される光を確認することにより、表示パネル２が正確にユーザ自身に向いているかどうかを容易に確認することができる。ユーザは、大まかに表示パネル２の正面を自分に向けた状態で、位置確認部１０ａ，１０ｂを見る。ユーザは、位置確認部１０ａから出射される光と位置確認部１０ｂから出射される光とを確認し、各発光部１１ａ，…，１４ｂから出射される光の鮮明さ等、光の見え方が、左右対称になるようであれば、表示パネル２が正確にユーザの正面に向いていると判断する。他方、光の見え方が左右対称ではないようであれば、ユーザは、表示パネル２が正確にはユーザの正面に向いていないと判断する。この場合、ユーザは、リモートコントローラ９等を用いて筐体３を回動させ、光の見え方が左右対称となるように筐体３の向きを微調整して、表示パネル２の正面を正確にユーザ自身に向けることができる。本実施形態においては、ユーザは、映像表示装置１から発光される光を確認するので、例えば周囲が暗いような環境下であっても、表示パネル２が自己の正面に向いているかどうかを確認することができる。
【００２１】
ここで、位置確認部１０ａ，１０ｂは、四対の発光部１１ａ，…，１４ｂにより構成されているので、ユーザは、表示パネル２からの距離に応じて、適しているいずれか一対の発光部１１ａ，…，１４ｂを用いて、表示パネル２の正面に位置していることを確認することができる。従って、ユーザは、表示パネル２から遠くても、表示パネル２に近くても、位置確認部１０ａ，１０ｂが一対、二対、三対の発光部により構成されている場合と比較してより広い範囲で、表示パネル２の正面を正確にユーザ自身に向けることができる。このとき、各発光部１１ａ，…，１４ｂから出射される光の色は、他の左右で対となる発光部１１ａ，…，１４ｂから出射される光の色とは異なるので、ユーザは、映像表示装置１から離れた位置からでも、どの発光部１１ａ，…，１４ｂから出射された光が見えるかを容易に識別することができ、互いに対となる発光部１１ａ，…，１４ｂ同士を容易に確認することができる。また、位置確認部１０ａ，１０ｂからは、ターンボタン９ｂの操作に連動して、主に回動機構７を駆動させたときに光が出射されるので、電力の消費を低減することができ、また、筐体３を回動させない通常時に、ユーザを表示パネル２の表示に集中させることができる。
【００２２】
さらにまた、各発光部１１ａ，…，１４ｂは、それぞれ、ユーザと表示パネル２との距離が所定の基準距離Ｌ１，Ｌ２，Ｌ３，Ｌ４のいずれかであるときに、ユーザがその発光部１１ａ，…，１４ｂから出射される光を確認できるように配置されているので、ユーザは、表示パネル２が自分の正面に向いているか確認するときに見た光から、大まかに、ユーザ自身が表示パネル２からどれだけ離れているかを客観的に把握することができる。例えば、ユーザは、発光部１１ａ，１１ｂ，１２ａ，１２ｂ，１３ａ，１３ｂ等から出射される青、緑、橙の３色の光を確認することができ、このうち発光部１２ａ，１２ｂから出射される緑色の光を最も鮮明に確認することができたとする。このとき、ユーザは、ユーザ自身が表示パネル２からおよそ長さＬ２だけ離れた位置にいること把握することができる。これにより、ユーザは、ユーザ自身と表示パネル２との距離が、表示パネル２を見るのに近すぎたり遠すぎたりしないかを適宜客観的に判断することができる。
【００２３】
なお、本発明は上記実施形態の構成に限定されるものではなく、発明の趣旨を変更しない範囲で適宜に種々の変形が可能である。例えば、発光部の数は、上述よりも少なくても多くてもよい。また、各発光部から出射される光の色は同色であってもよい。発光部は、出射する光の光路上にカラーフィルタ等を設けて、種々の色の光を出射するように構成されていてもよい。さらにまた、映像表示装置は、テレビジョン放送受像機に限られるものではなく、例えば、外部の計算機等からの画像出力を表示するモニタのようなものであってもよい。
【００２４】
また、例えば、位置確認部は、自ら発光する発光体を有さず、例えばそれぞれ所定の方向からのみ視認可能に形成された視認部により構成されていてもよい。視認部は、例えば、筐体正面から後方に窪み、所定の方向からのみ視認可能にした部位に、ユーザが視認しやすい蛍光色等の反射板を配置する等して構成される。すなわち、表示パネルの中央部に対し左右対称で所定の方向からのみ視認可能な視認部を確認することにより、上述と同様に、表示パネルがユーザの正面に向いていることを容易に確認することができる。
【図面の簡単な説明】
【００２５】
【図１】本発明の一実施形態に係る映像表示装置の一例を示す斜視図。
【図２】上記映像表示装置の発光部を示す斜視図。
【図３】上記映像表示装置とユーザとの位置関係を示す平面図。
【符号の説明】
【００２６】
１  映像表示装置
２  表示パネル
３  筐体
５  スタンド
７  回動機構
９  リモートコントローラ
９ａ  操作ボタン
９ｂ  ターンボタン（操作ボタン）
１０ａ，１０ｂ  位置確認部
１１ａ，１１ｂ，１２ａ，１２ｂ，１３ａ，１３ｂ，１４ａ，１４ｂ  発光部（視認部）
【図１】
2008275983.tif 000003
【図２】
2008275983.tif 000004
【図３】
2008275983.tif 000005